(57)【要約】【課題】  被記録媒体の記録面から搬送用ローラへの画像転写、および前記搬送用ローラから後続の記録面への前記画像の再転写が抑制され、記録品質に優れるインクジェット記録装置を提供する。【解決手段】  インク収容部、インク吐出手段２および搬送用ローラ４を含み、前記インク収容部にインクジェット記録用水性インクが収容され、被記録媒体１の記録面に前記水性インクを前記インク吐出手段２によって吐出して記録し、記録後の前記被記録媒体１を前記搬送用ローラ４によって搬送するインクジェット記録装置１００であって、さらに、粉体供給手段を含み、前記粉体供給手段により、前記搬送用ローラ４表面に非水溶性粉体３を移動可能な状態で付着させることで、前記被記録媒体１の記録面と前記搬送用ローラ４表面との間に前記非水溶性粉体３を介在させた状態で、記録後の前記被記録媒体１が搬送され、前記非水溶性粉体３が、粒子径１５μｍ以上の粒子を含む。【選択図】  図１
2010131788.tif 000002
【特許請求の範囲】
【請求項１】
インク収容部、インク吐出手段および搬送用ローラを含み、前記インク収容部にインクジェット記録用水性インクが収容され、被記録媒体の記録面に前記水性インクを前記インク吐出手段によって吐出して記録し、記録後の前記被記録媒体を前記搬送用ローラによって搬送するインクジェット記録装置であって、さらに、非水溶性粉体を供給する粉体供給手段を含み、前記粉体供給手段により、前記搬送用ローラ表面に前記非水溶性粉体を移動可能な状態で付着させることで、前記被記録媒体の記録面と前記搬送用ローラ表面との間に前記非水溶性粉体を介在させた状態で、記録後の前記被記録媒体が搬送され、前記非水溶性粉体が、粒子径１５μｍ以上の粒子を含むことを特徴とするインクジェット記録装置。
【請求項２】
前記水性インクが、顔料を含む請求項１記載のインクジェット記録装置。
【請求項３】
前記非水溶性粉体が、粒子径１５μｍ〜５０μｍの粒子を含む請求項１または２記載のインクジェット記録装置。
【請求項４】
前記非水溶性粉体が、アクリル粒子、ジビニルベンゼンポリマー粒子、ガラス粒子およびポリスチレン粒子からなる群から選択される少なくとも一種の粒子を含む請求項１〜３のいずれか一項に記載のインクジェット記録装置。
【請求項５】
被記録媒体の記録面にインクジェット記録用水性インクをインクジェット方式で吐出して記録する記録工程と、記録後の前記被記録媒体を搬送用ローラによって搬送する搬送工程とを含むインクジェット記録方法であって、前記搬送工程は、前記搬送用ローラ表面に非水溶性粉体を移動可能な状態で付着させることで、前記被記録媒体の記録面と前記搬送用ローラ表面との間に前記非水溶性粉体を介在させた状態で、記録後の前記被記録媒体を搬送する工程であり、前記非水溶性粉体が、粒子径１５μｍ以上の粒子を含むことを特徴とするインクジェット記録方法。
【請求項６】
前記水性インクが、顔料を含む請求項５記載のインクジェット記録方法。
【請求項７】
前記非水溶性粉体が、粒子径１５μｍ〜５０μｍの粒子を含む請求項５または６記載のインクジェット記録方法。
【請求項８】
前記非水溶性粉体が、アクリル粒子、ジビニルベンゼンポリマー粒子、ガラス粒子およびポリスチレン粒子からなる群から選択される少なくとも一種の粒子を含む請求項５〜７のいずれか一項に記載のインクジェット記録方法。
【発明の詳細な説明】
【技術分野】
【０００１】
本発明は、インクジェット記録装置およびインクジェット記録方法に関する。
【背景技術】
【０００２】
従来から、高速記録、高品質記録が可能な記録装置として、インクジェット記録装置が汎用されている。前記インクジェット記録装置では、インク吐出手段から吐出されたインクを被記録媒体の記録面に付着させることで所望の画像を記録する。前記インクジェット記録装置では、前記インク吐出手段より前記被記録媒体の搬送方向の下流側に配置されたローラ（搬送用ローラ）に前記被記録媒体の記録面に記録された画像が転写されることがある。前記搬送用ローラに前記画像が転写されると、さらに、後続の前記被記録媒体の記録面に前記画像が再転写し、記録品質が劣化する。この問題は、乾燥速度が遅い水性顔料インクを用いた場合、および高速記録が求められる場合において特に顕著である。
【０００３】
前記問題を解決するものとして、砥粒、ガラス粒子、金属粒子等を表面に突出させるとともに、表面をコーティングした搬送用ローラが提案されている（特許文献１）。この搬送用ローラでは、前記粒子の突出により、前記搬送用ローラ表面と前記被記録媒体の記録面との接触面積を少なくすることで、後続の前記被記録媒体の記録面への前記画像の再転写を少なくしている。
【０００４】
【特許文献１】実開平５−７２８４４号公報
【発明の開示】
【発明が解決しようとする課題】
【０００５】
しかし、前記搬送用ローラでは、前記コーティングにより、前記粒子が前記搬送用ローラ表面に固着しているため、前記粒子の突出部による前記画像の再転写までは防止できない。
【０００６】
そこで、本発明は、被記録媒体の記録面から搬送用ローラへの画像転写、および前記搬送用ローラから後続の前記被記録媒体の記録面への前記画像の再転写が抑制され、記録品質に優れるインクジェット記録装置およびインクジェット記録方法を提供することを目的とする。
【課題を解決するための手段】
【０００７】
前記目的を達成するために、本発明のインクジェット記録装置は、
インク収容部、インク吐出手段および搬送用ローラを含み、
前記インク収容部にインクジェット記録用水性インクが収容され、
被記録媒体の記録面に前記水性インクを前記インク吐出手段によって吐出して記録し、
記録後の前記被記録媒体を前記搬送用ローラによって搬送するインクジェット記録装置であって、
さらに、非水溶性粉体を供給する粉体供給手段を含み、
前記粉体供給手段により、前記搬送用ローラに前記非水溶性粉体を移動可能な状態で付着させることで、前記被記録媒体の記録面と前記搬送用ローラ表面との間に前記非水溶性粉体を介在させた状態で、記録後の前記被記録媒体が搬送され、
前記非水溶性粉体が、粒子径１５μｍ以上の粒子を含むことを特徴とする。
【０００８】
また、本発明のインクジェット記録方法は、被記録媒体の記録面にインクジェット記録用水性インクをインクジェット方式で吐出して記録する記録工程と、記録後の前記被記録媒体を搬送用ローラによって搬送する搬送工程とを含むインクジェット記録方法であって、
前記搬送工程は、前記搬送用ローラに非水溶性粉体を移動可能な状態で付着させることで、前記被記録媒体の記録面と前記搬送用ローラ表面との間に前記非水溶性粉体を介在させた状態で、記録後の前記被記録媒体を搬送する工程であり、
前記非水溶性粉体が、粒子径１５μｍ以上の粒子を含むことを特徴とする。
【発明の効果】
【０００９】
本発明のインクジェット記録装置およびインクジェット記録方法では、搬送用ローラ表面に前記所定の粒子径の粒子を含む非水溶性粉体を移動可能な状態で付着させることで、前記被記録媒体の記録面と前記搬送用ローラ表面との間に前記非水溶性粉体を介在させた状態で、記録後の前記被記録媒体を搬送する。このため、本発明のインクジェット記録装置およびインクジェット記録方法では、前記被記録媒体の記録面から前記搬送用ローラへの画像転写、および前記搬送用ローラから後続の前記被記録媒体の記録面への前記画像の再転写が抑制され、記録品質に優れる。
【発明を実施するための最良の形態】
【００１０】
本発明において、「移動可能な状態」とは、前記搬送用ローラ表面に前記非水溶性粉体を固着させず、例えば、静電力や弱い粘着力等で付着させた状態である。前記「移動可能な状態」にあっては、例えば、微弱な力で、前記搬送用ローラ表面を前記非水溶性粉体が回転等により自由に移動し、前記搬送用ローラ表面から前記非水溶性粉体を自在に取り除ける。
【００１１】
本発明において、「粒子径」は、例えば、ふるい分け法によって測定した試験用ふるいの目開きで表したもの、沈降法によるストークス相当径で表したもの、顕微鏡法による円相当径で表したもの、光散乱法による球相当値で表したもの、電気抵抗試験方法（コールタカウンタ法）による球相当値で表したもの等、従来公知の方法で測定したものを採用してもよい。
【００１２】
本発明のインクジェット記録装置およびインクジェット記録方法において、前記水性インクが、顔料を含んでもよい。本発明のインクジェット記録装置およびインクジェット記録方法によれば、例えば、乾燥速度が遅い水性顔料インクを用いる場合においても、前記被記録媒体の記録面から前記搬送用ローラへの画像転写、および前記搬送用ローラから後続の前記被記録媒体の記録面への前記画像の再転写を好適に抑制でき、記録品質に優れる。
【００１３】
本発明のインクジェット記録装置およびインクジェット記録方法において、前記非水溶性粉体は、粒子径が１５μｍ〜５０μｍの粒子を含むことが好ましく、粒子径が１８μｍ〜５０μｍの粒子を含むことがより好ましい。
【００１４】
本発明のインクジェット記録装置およびインクジェット記録方法において、前記非水溶性粉体が、アクリル粒子、ジビニルベンゼンポリマー粒子、ガラス粒子およびポリスチレン粒子からなる群から選択される少なくとも一種の粒子を含むことが好ましい。
【００１５】
つぎに、本発明のインクジェット記録装置およびインクジェット記録方法について、例をあげて、詳細に説明する。ただし、本発明は、以下の説明に制限および限定されない。
【００１６】
本発明のインクジェット記録装置およびインクジェット記録方法では、インクジェット記録用水性インク（以下、単に「インク」または「水性インク」ということがある）を用いて被記録媒体の記録面に記録する。
【００１７】
前記水性インクは、着色剤および水を含む。前記着色剤は、特に限定されず、顔料または染料のいずれであってもよい。また、前記着色剤として、顔料および染料を混合して用いてもよい。
【００１８】
前記顔料は、特に限定されず、例えば、カーボンブラック、無機顔料および有機顔料等が使用できる。前記カーボンブラックとしては、例えば、ファーネスブラック、ランプブラック、アセチレンブラック、チャンネルブラック等があげられる。前記無機顔料としては、例えば、酸化チタン、酸化鉄系無機顔料およびカーボンブラック系無機顔料等をあげることができる。前記有機顔料としては、例えば、アゾレーキ、不溶性アゾ顔料、縮合アゾ顔料、キレートアゾ顔料等のアゾ顔料；フタロシアニン顔料、ペリレンおよびペリノン顔料、アントラキノン顔料、キナクリドン顔料、ジオキサジン顔料、チオインジゴ顔料、イソインドリノン顔料、キノフタロン顔料等の多環式顔料；塩基性染料型レーキ顔料、酸性染料型レーキ顔料等の染料レーキ顔料；ニトロ顔料、ニトロソ顔料、アニリンブラック昼光蛍光顔料等があげられる。また、その他の顔料であっても水相に分散可能なものであれば使用できる。これら顔料としては、例えば、Ｃ．Ｉ．ピグメントブラック１、６および７；Ｃ．Ｉ．ピグメントイエロー１、２、３、１２、１３、１４、１５、１６、１７、５５、７３、７４、７５、８３、９３、９４、９５、９７、９８、１１４、１２８、１２９、１３８、１５０、１５１、１５４、１８０、１８５および１９４；Ｃ．Ｉ．ピグメントオレンジ３１および４３；Ｃ．Ｉ．ピグメントレッド２、３、５、６、７、１２、１５、１６、４８、４８：１、５３：１、５７、５７：１、１１２、１２２、１２３、１３９、１４４、１４６、１４９、１６６、１６８、１７５、１７６、１７７、１７８、１８４、１８５、１９０、２０２、２２１、２２２、２２４および２３８；Ｃ．Ｉ．ピグメントバイオレット１９６；Ｃ．Ｉ．ピグメントブルー１、２、３、１５、１５：１、１５：２、１５：３、１５：４、１６、２２および６０；Ｃ．Ｉ．ピグメントグリーン７および３６等があげられる。
【００１９】
前記顔料は、自己分散型顔料を含んでもよい。前記自己分散型顔料は、例えば、顔料粒子の表面にカルボキシル基、カルボニル基、ヒドロキシル基、スルホン基等の親水性官能基およびそれらの塩の少なくとも一種が、直接または多価の基を介して化学結合により導入されていることによって、分散剤を使用しなくても水に分散可能なものである。
【００２０】
前記自己分散型顔料は、特に限定されず、例えば、特開平８−３４９８号公報、特表２０００−５１３３９６号公報等に記載の方法によって表面処理された自己分散型顔料を用いることができる。前記自己分散型顔料は、例えば、市販品を用いてもよい。前記市販品としては、例えば、キャボット・スペシャルティ・ケミカルズ社製の「ＣＡＢ−Ｏ−ＪＥＴ（登録商標）２００」、「ＣＡＢ−Ｏ−ＪＥＴ（登録商標）２５０Ｃ」、「ＣＡＢ−Ｏ−ＪＥＴ（登録商標）２６０Ｍ」、「ＣＡＢ−Ｏ−ＪＥＴ（登録商標）２７０Ｙ」および「ＣＡＢ−Ｏ−ＪＥＴ（登録商標）３００」；オリエント化学工業（株）製の「ＢＯＮＪＥＴ（登録商標）ＢＬＡＣＫ  ＣＷ−１」、「ＢＯＮＪＥＴ（登録商標）ＢＬＡＣＫ  ＣＷ−２」および「ＢＯＮＪＥＴ（登録商標）ＢＬＡＣＫ  ＣＷ−３」；東洋インキ製造（株）製の「ＬＩＯＪＥＴ（登録商標）ＷＤ  ＢＬＡＣＫ  ００２Ｃ」；等があげられる。
【００２１】
前記自己分散型顔料の原料として用いることができる顔料は、特に限定されず、無機顔料および有機顔料のいずれも使用することができる。また、前記表面処理を行うのに適した無機顔料としては、例えば、三菱化学（株）製の「ＭＡ８」および「ＭＡ１００」；デグサ社製の「カラーブラックＦＷ２００」；等のカーボンブラックがあげられる。
【００２２】
前記水性インク全量に対する前記顔料の配合量（顔料割合）は、特に限定されず、例えば、所望の光学濃度または色彩等により、適宜決定できる。前記顔料割合は、例えば、０．１重量％〜２０重量％であり、好ましくは、１重量％〜１０重量％であり、より好ましくは、２重量％〜８重量％である。前記顔料は、１種類を単独で用いてもよいし、２種類以上を併用してもよい。
【００２３】
前記染料は、特に限定されず、例えば、直接染料、酸性染料、塩基性染料、反応性染料等があげられる。前記染料の具体例としては、例えば、Ｃ．Ｉ．ダイレクトブラック、Ｃ．Ｉ．ダイレクトブルー、Ｃ．Ｉ．ダイレクトレッド、Ｃ．Ｉ．ダイレクトイエロー、Ｃ．Ｉ．ダイレクトオレンジ、Ｃ．Ｉ．ダイレクトバイオレット、Ｃ．Ｉ．ダイレクトブラウン、Ｃ．Ｉ．ダイレクトグリーン、Ｃ．Ｉ．アシッドブラック、Ｃ．Ｉ．アシッドブルー、Ｃ．Ｉ．アシッドレッド、Ｃ．Ｉ．アシッドイエロー、Ｃ．Ｉ．アシッドオレンジ、Ｃ．Ｉ．アシッドバイオレット、Ｃ．Ｉ．ベーシックブラック、Ｃ．Ｉ．ベーシックブルー、Ｃ．Ｉ．ベーシックレッド、Ｃ．Ｉ．ベーシックバイオレットおよびＣ．Ｉ．フードブラック等があげられる。前記Ｃ．Ｉ．ダイレクトブラックとしては、例えば、Ｃ．Ｉ．ダイレクトブラック１７、１９、３２、５１、７１、１０８、１４６、１５４および１６８等があげられる。前記Ｃ．Ｉ．ダイレクトブルーとしては、例えば、Ｃ．Ｉ．ダイレクトブルー６、２２、２５、７１、８６、９０、１０６および１９９等があげられる。前記Ｃ．Ｉ．ダイレクトレッドとしては、例えば、Ｃ．Ｉ．ダイレクトレッド１、４、１７、２８、８３および２２７等があげられる。前記Ｃ．Ｉ．ダイレクトイエローとしては、例えば、Ｃ．Ｉ．ダイレクトイエロー１２、２４、２６、８６、９８、１３２、１４２および１７３等があげられる。前記Ｃ．Ｉ．ダイレクトオレンジとしては、例えば、Ｃ．Ｉ．ダイレクトオレンジ３４、３９、４４、４６および６０等があげられる。前記Ｃ．Ｉ．ダイレクトバイオレットとしては、例えば、Ｃ．Ｉダイレクトバイオレット４７および４８等があげられる。前記Ｃ．Ｉ．ダイレクトブラウンとしては、例えば、Ｃ．Ｉ．ダイレクトブラウン１０９等があげられる。前記Ｃ．Ｉ．ダイレクトグリーンとしては、例えば、Ｃ．Ｉ．ダイレクトグリーン５９等があげられる。前記Ｃ．Ｉ．アシッドブラックとしては、例えば、Ｃ．Ｉ．アシッドブラック２、７、２４、２６、３１、５２、６３、１１２および１１８等があげられる。前記Ｃ．Ｉ．アシッドブルーとしては、例えば、Ｃ．Ｉ．アシッドブルー９、２２、４０、５９、９３、１０２、１０４、１１７、１２０、１６７、２２９および２３４等があげられる。前記Ｃ．Ｉ．アシッドレッドとしては、例えば、Ｃ．Ｉ．アシッドレッド１、６、３２、３７、５１、５２、８０、８５、８７、９２、９４、１１５、１８０、２５６、２８９、３１５および３１７等があげられる。前記Ｃ．Ｉ．アシッドイエローとしては、例えば、Ｃ．Ｉ．アシッドイエロー１１、１７、２３、２５、２９、４２、６１および７１等があげられる。前記Ｃ．Ｉ．アシッドオレンジとしては、例えば、Ｃ．Ｉ．アシッドオレンジ７および１９等があげられる。前記Ｃ．Ｉ．アシッドバイオレットとしては、例えば、Ｃ．Ｉ．アシッドバイオレット４９等があげられる。前記Ｃ．Ｉ．ベーシックブラックとしては、例えば、Ｃ．Ｉ．ベーシックブラック２等があげられる。前記Ｃ．Ｉ．ベーシックブルーとしては、例えば、Ｃ．Ｉ．ベーシックブルー１、３、５、７、９、２４、２５、２６、２８および２９等があげられる。前記Ｃ．Ｉ．ベーシックレッドとしては、例えば、Ｃ．Ｉ．ベーシックレッド１、２、９、１２、１３、１４および３７等があげられる。前記Ｃ．Ｉ．ベーシックバイオレットとしては、例えば、Ｃ．Ｉ．ベーシックバイオレット７、１４および２７等があげられる。前記Ｃ．Ｉ．フードブラックとしては、例えば、Ｃ．Ｉ．フードブラック１および２等があげられる。これらの染料は、例えば、鮮明性、水溶性および安定性等の特性に優れる。
【００２４】
前記水性インク全量に対する前記染料の配合量（染料割合）は、特に限定されず、例えば、０．１重量％〜２０重量％であり、好ましくは、１重量％〜１０重量％であり、より好ましくは、２重量％〜８重量％である。前記染料は、１種類を単独で用いてもよいし、２種類以上を併用してもよい。
【００２５】
前記水は、イオン交換水または純水であることが好ましい。前記水性インク全量に対する前記水の配合量（水割合）は、所望のインク特性等に応じて適宜決定される。前記水割合は、例えば、他の成分の残部としてもよい。
【００２６】
前記水性インクは、さらに、インクジェットヘッドのノズル部におけるインクの乾燥を防止する湿潤剤および被記録媒体上での乾燥速度を調整する浸透剤を含むことができる。
【００２７】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール、アルキレングリコール、グリセリン等の多価アルコール；２−ピロリドン；Ｎ−メチル−２−ピロリドン；１，３−ジメチル−２−イミダゾリジノン等があげられる。前記ポリアルキレングリコールは、特に限定されず、例えば、ポリエチレングリコール、ポリプロピレングリコール等があげられる。前記アルキレングリコールは、特に限定されず、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの中でも、アルキレングリコール、グリセリン等の多価アルコールが好適である。前記湿潤剤は、１種類を単独で用いてもよいし、２種類以上を併用してもよい。
【００２８】
前記水性インク全量に対する前記湿潤剤の配合量（湿潤剤割合）は、特に限定されず、例えば、０重量％〜９５重量％であり、好ましくは、１０重量％〜８０重量％であり、より好ましくは、１０重量％〜５０重量％である。
【００２９】
前記浸透剤は、特に限定されず、例えば、グリコール系エーテルがあげられる。前記グリコール系エーテルは、特に限定されず、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル、トリプロピレングリコール−ｎ−ブチルエーテル等があげられる。前記浸透剤は、１種類を単独で用いてもよいし、２種類以上を併用してもよい。
【００３０】
前記水性インク全量に対する前記浸透剤の配合量（浸透剤割合）は、特に限定されず、例えば、０重量％〜２０重量％である。前記浸透剤割合を前記範囲とすることで、前記インクの記録用紙等の被記録媒体への浸透性を、より好適なものとできる。前記浸透剤割合は、好ましくは、０．１重量％〜１５重量％であり、より好ましくは、０．５重量％〜１０重量％である。
【００３１】
前記水性インクは、必要に応じて、さらに、従来公知の添加剤を含んでもよい。前記添加剤としては、例えば、界面活性剤、粘度調整剤、表面張力調整剤、防黴剤等があげられる。前記粘度調整剤は、例えば、ポリビニルアルコール、セルロース、水溶性樹脂等があげられる。
【００３２】
前記水性インクは、例えば、前記着色剤および水と、必要に応じて他の添加成分とを、従来公知の方法で均一に混合し、フィルタ等で不溶解物を除去することにより調製できる。
【００３３】
つぎに、本発明のインクジェット記録装置は、インク収容部、インク吐出手段および搬送用ローラを有する。さらに、本発明のインクジェット記録装置は、粉体供給手段を含む。本発明のインクジェット記録装置において、前記搬送用ローラおよび前記粉体供給手段以外の構成は、従来のインクジェット記録装置と同様にすることができる。
【００３４】
本発明のインクジェット記録装置は、シリアル型インクジェット記録装置であってもよいが、ライン型インクジェット記録装置であることが好ましい。前記シリアル型インクジェット記録装置は、インクジェットヘッド自体が前記被記録媒体の記録面の幅方向に移動しながら記録を行う。これに対し、前記ライン型インクジェット記録装置は、前記被記録媒体の幅以上の記録幅を持つライン型インクジェットヘッドを含み、インクジェットヘッドを固定した状態で前記被記録媒体の幅方向の記録を一括して行うことができる。前記ライン型インクジェット記録装置は、同時に記録できる記録幅が広いため、前記シリアル型インクジェット記録装置と比較して、格段に記録速度が速い。
【００３５】
図１に、本発明のインクジェット記録装置の構成の一例を示す。このインクジェット記録装置１００は、インク収容部（図示せず）と、インクジェットヘッド２と、搬送用ローラ４と、ニップローラ５と、被記録媒体搬送ガイド８と、給紙用ローラ９とを主要な構成部材として含む。インクジェット記録装置１００において、インクジェットヘッド２が、前記インク吐出手段である。
【００３６】
前記インクジェット記録装置１００の内部には、給紙部（図示せず）から前記被記録媒体搬送ガイド８を介し、前記搬送用ローラ４および前記ニップローラ５に向かって被記録媒体１が搬送される被記録媒体搬送経路が形成されている。矢印Ｘは、前記被記録媒体１が搬送される被記録媒体搬送方向を示す。前記給紙部（図示せず）は、被記録媒体搬送方向Ｘの上流側（図１において右側）に配置されており、被記録媒体１を前記被記録媒体搬送ガイド８側へと送り出す。送り出された前記被記録媒体１は、前記被記録媒体搬送ガイド８に導かれ、前記給紙用ローラ９下方へと搬送される。
【００３７】
前記給紙用ローラ９は、前記インクジェットヘッド２よりも前記被記録媒体搬送方向Ｘの上流側（図１において右側）に配置されており、矢印ｄで示すように回転することで、前記被記録媒体１を、前記インクジェットヘッド２下方へと搬送する。前記給紙用ローラ９としては、例えば、金属製の芯の周囲にゴムを円筒状に成形したもの等、従来公知のものを使用できる。前記給紙用ローラ９の直径は、特に限定されないが、例えば、１０ｍｍ〜３０ｍｍであり、好ましくは、１２ｍｍ〜２０ｍｍである。前記給紙用ローラ９の長さも、特に限定されないが、前記被記録媒体１の幅より少し長い程度が好ましい。例えば、前記被記録媒体１として、Ａ４判用紙を用いる場合には、前記給紙用ローラ９の長さは、例えば、２２０ｍｍ〜２３０ｍｍであり、Ａ３判用紙を用いる場合には、前記給紙用ローラ９の長さは、例えば、３１０ｍｍ〜３３０ｍｍである。
【００３８】
前記インク収容部（図示せず）は、前記インクジェット記録用水性インクを含む。前記インク収容部としては、例えば、インクカートリッジ等があげられる。前記インクカートリッジの本体としては、例えば、従来公知のものを使用できる。前記インク収容部は、前記インクジェットヘッド２に前記水性インクを供給する。前記インクジェットヘッド２は、前記インク収容部直下に配置されていてもよいし、前記インク収容部とチューブ等で連結されていてもよい。前記給紙用ローラ９によって搬送された前記被記録媒体１が、前記インクジェットヘッド２の下方を通過する際に、前記被記録媒体１の記録面に向けて、前記水性インクが吐出される。これにより、前記被記録媒体１の記録面に画像が記録される。記録後の前記被記録媒体１は、前記被記録媒体搬送ガイド８に導かれ、前記搬送用ローラ４および前記ニップローラ５の間へと搬送される。
【００３９】
前記インクジェット記録装置１００は、前記インクジェットヘッド２と、前記搬送用ローラ４との間に、さらに、粉体供給手段を含む。前記粉体供給手段は、ホッパ７および粉体供給用ブレード６を含む。前記ホッパ７には、非水溶性粉体３が充填されている。前記粉体供給用ブレード６は、前記ホッパ７下部から前記被記録媒体搬送方向Ｘの下流側（図１において左側）に向かって傾斜した後、前記被記録媒体搬送ガイド８左端上部で屈曲し、前記被記録媒体搬送方向Ｘに対し垂直に前記被記録媒体搬送ガイド８の左上端近傍へと延びた略Ｌ字状の形状である。前記粉体供給用ブレード６の材質は、特に限定されず、例えば、樹脂、金属等があげられる。
【００４０】
前記ホッパ７に充填された前記非水溶性粉体３は、矢印ａで示すように、前記粉体供給用ブレード６の右端側に落下した後、前記粉体供給ブレード６の傾斜に沿って流れ落ち、前記搬送用ローラ４の右上部へと供給される。前記非水溶性粉体３は、前記搬送用ローラ４が、矢印ｂで示すように回転することで、前記搬送用ローラ４表面に移動可能な状態で付着する。前記粉体供給手段は、前記搬送用ローラ４表面により均一に前記非水溶性粉体３を付着させることが可能となることから、前記粉体供給用ブレード６を含むことが好ましいが、これに限定されず、前記ホッパ７のみで構成されていてもよい。
【００４１】
前記搬送用ローラ４および前記ニップローラ５は、前記被記録媒体搬送ガイド８より前記被記録媒体搬送方向Ｘの下流側に、前記搬送用ローラ４が、前記被記録媒体１の記録面側となるように、前記被記録媒体搬送方向Ｘと垂直に並んで配置されている。記録後の前記被記録媒体１は、前記搬送用ローラ４および前記ニップローラ５が、矢印ｂおよびｃで示すように逆方向に回転することで、前記被記録媒体１の記録面と前記搬送用ローラ４表面との間に前記非水溶性粉体３を介在させた状態で搬送される。前記搬送用ローラ４としては、金属製の芯の周囲にゴムを円筒状に成形し、その表面に前記非水溶性粉体３を付着させやすくするための凹凸を有するローラが好ましいが、これに限定されず、前記非水溶性粉体３を付着させることができるローラであればいかなるものであってもよい。前記ニップローラ５としては、例えば、金属製の芯の周囲にゴムを円筒状に成形したもの等、従来公知のものを使用できる。前記搬送用ローラ４および前記ニップローラ５の大きさは、前記給紙用ローラ９の大きさと同様である。
【００４２】
前記粉体供給手段の構成は、図１に示す構成に限定されず、前記搬送用ローラ４表面に前記非水溶性粉体３を移動可能な状態で付着させることができるものであればいかなる構成であってもよい。図２に、前記粉体供給手段の構成例を示す。図２において、図１と同一部分には、同一符号を付している。前記粉体供給手段は、例えば、図２（Ａ）に示すように、前記被記録媒体１の記録面と前記搬送用ローラ４との接点より前記被記録媒体搬送方向Ｘの下流側（図２（Ａ）において左側）に、前記搬送用ローラ４表面から前記非水溶性粉体３を除去するための粉体除去用ブレード１０を有するものであってもよい。除去後の前記非水溶性粉体３は、例えば、前記粉体除去用ブレード１０近傍に設けられた粉体回収容器（図示せず）に回収される。また、前記粉体供給手段は、例えば、図２（Ｂ）に示すように、前記ホッパ７下部から前記被記録媒体搬送方向Ｘの下流側（図２（Ｂ）において左側）に向かって傾斜した粉体供給用ガイド板６ａと、前記搬送用ローラ４の前記被記録媒体搬送方向Ｘの上流側（図２（Ｂ）において右側）近傍に配置されたスポンジ６ｂとで構成されていてもよい。
【００４３】
前記非水溶性粉体３の材質は、水に溶解しないものであれば、特に限定されない。前記非水溶性粉体３としては、例えば、アクリル粒子、ジビニルベンゼンポリマー粒子、ガラス粒子、ポリスチレン粒子、ポリメチルメタクリレート粒子、ポリプロピレン粒子、スチレン−アクリル共重合粒子等を用いることができる。前記非水溶性粉体３は、１種類を単独で用いてもよく、２種類以上を併用してもよい。
【００４４】
前記非水溶性粉体３の粒子径については、前述のとおりである。また、前記非水溶性粉体は、平均粒子径が１５μｍ以上であることが好ましく、平均粒子径が１５μｍ〜５０μｍであることがより好ましく、平均粒子径が１８μｍ〜５０μｍであることがさらに好ましい。前記平均粒子径としては、例えば、数平均粒子径、重量平均粒子径、体積平均粒子径があげられる。
【００４５】
前記非水溶性粉体３は、単分散であることが好ましい。また、前記非水溶性粉体３のＣＶ値は、特に限定されないが、例えば、５０％以下であり、好ましくは、２５％以下であり、より好ましくは、１０％以下である。前記ＣＶ値とは、式（１）で表される値である。
ＣＶ値（％）＝（σ／Ｄｎ）×１００      ・・・（１）
σ：粒子径の標準偏差
Ｄｎ：数平均粒子径
【００４６】
前記非水溶性粉体供給前において、前記粉体供給用ブレード６と前記搬送用ローラ４表面とは圧接していることが好ましいが、前記搬送用ローラ４表面に前記非水溶性粉体３を移動可能な状態で付着できる範囲であれば離れていてもよい。前記粉体供給用ブレード６と前記搬送用ローラ４表面との間の圧接力は、前記搬送用ローラ４表面に前記非水溶性粉体３を移動可能な状態で付着できる範囲であれば、特に限定されない。
【００４７】
前記搬送用ローラ４表面への前記非水溶性粉体３の付着量は、特に限定されない。前記搬送用ローラ４表面全体に前記非水溶性粉体３が付着していることが好ましいが、本発明はこれに限定されず、前記被記録媒体１の記録面と前記搬送用ローラ４表面との間に前記非水溶性粉体３を介在させた状態で前記被記録媒体１を搬送可能であれば、前記搬送用ローラ４表面の一部に前記非水溶性粉体３が付着していなくてもよい。
【００４８】
つぎに、図３を参照して、図１に示したインクジェット記録装置１００を用いた場合を例にとり、本発明のインクジェット記録方法について説明する。まず、記録前の準備として、前記ホッパ７に、前記非水溶性粉体を充填する（図３（Ａ））。
【００４９】
つぎに、図３（Ｂ）に示すように、前記ホッパ７から、前記粉体供給用ブレード６を介して、前記搬送用ローラ４の右上部に前記非水溶性粉体３を供給する。
【００５０】
つぎに、図３（Ｃ）に示すように、前記搬送用ローラ４を、矢印ｂで示すように回転させることで、前記搬送用ローラ４表面に、前記非水溶性粉体３を移動可能な状態で付着させる。
【００５１】
つぎに、図３（Ｄ）に示すように、前記ホッパ７からの前記非水溶性粉体３の供給および前記搬送用ローラ４の回転を停止する。ついで、前記給紙部（図示せず）から、前記被記録媒体搬送ガイド８側へと送り出された前記被記録媒体１が、前記給紙用ローラ９下方へと搬送される。ここで、前記給紙用ローラ９を、矢印ｄで示すように回転させることで、前記被記録媒体１を、前記インクジェットヘッド２下方へと搬送する。なお、図２（Ａ）に示したように、前記粉体供給手段が前記粉体除去用ブレード１０を有する場合等においては、前記ホッパ７からの前記非水溶性粉体３の供給および前記搬送用ローラ４の回転を停止せずに、継続してもよい。
【００５２】
つぎに、図３（Ｅ）に示すように、前記被記録媒体１が、前記インクジェットヘッド２の下方を通過する際に、前記被記録媒体１の記録面に向けて、前記水性インクが吐出される。これにより、前記被記録媒体１の記録面に画像が記録される。
【００５３】
つぎに、図３（Ｆ）に示すように、記録後の前記被記録媒体１が、前記被記録媒体搬送ガイド８に導かれ、前記搬送用ローラ４および前記ニップローラ５の間へと搬送される。ついで、前記搬送用ローラ４および前記ニップローラ５を、矢印ｂおよびｃで示すように逆方向に回転させることで、記録後の前記被記録媒体１を、前記被記録媒体１の記録面と前記搬送用ローラ４表面との間に前記非水溶性粉体３を介在させた状態で搬送する。
【００５４】
図３には、前記搬送用ローラ４に前記非水溶性粉体３を供給した後に、前記被記録媒体１の搬送を開始した例を示したが、本発明はこれに限定されず、前記被記録媒体１の記録面と前記搬送用ローラ４表面との間に前記非水溶性粉体３を介在させた状態で、記録後の前記被記録媒体１を搬送することが可能な限りにおいて、前記搬送用ローラ４への前記非水溶性粉体３の供給と前記被記録媒体１の搬送を同時に開始してもよいし、前記被記録媒体１の搬送を先に開始してもよい。
【００５５】
本発明のインクジェット記録装置およびインクジェット記録方法では、前記搬送用ローラ４表面に前記所定の粒子径の粒子を含む非水溶性粉体３を移動可能な状態で付着させることで、前記被記録媒体１の記録面と前記搬送用ローラ４表面との間に前記非水溶性粉体３を介在させた状態で、記録後の前記被記録媒体１が搬送される。このため、前記被記録媒体１の記録面から前記搬送用ローラ４への画像転写、および前記搬送用ローラ４から後続の前記被記録媒体１の記録面への前記画像の再転写が抑制され、記録品質が向上する。また、本発明のインクジェット記録装置およびインクジェット記録方法によれば、例えば、乾燥速度が遅い水性顔料インクを用いる場合においても、前記被記録媒体１の記録面から前記搬送用ローラ４への画像転写、および前記搬送用ローラ４から後続の前記被記録媒体１の記録面への前記画像の再転写を好適に抑制でき、記録品質に優れる。さらに、本発明のインクジェット記録装置およびインクジェット記録方法によれば、例えば、前記インク吐出手段として前記ライン型インクジェットヘッドを用いた高速記録においても、前記被記録媒体１の記録面から前記搬送用ローラ４への画像転写、および前記搬送用ローラ４から後続の前記被記録媒体１の記録面への前記画像の再転写を好適に抑制でき、記録品質に優れる。
【実施例】
【００５６】
つぎに、本発明の実施例について比較例と併せて説明する。なお、本発明は、下記の実施例および比較例によって限定および制限されない。
【００５７】
（インクジェット記録用水性インクの調製）
ａ）インク１（黒インク）
インク組成成分（表１）における、自己分散型顔料「ＣＡＢ−Ｏ−ＪＥＴ（登録商標）３００」を除く成分を、均一に混合しインク溶媒を得た。つぎに、前記インク溶媒に前記自己分散型顔料を徐々に加え、均一に混合した。その後、得られた混合物を、東洋濾紙（株）製のセルロースアセテートタイプメンブレンフィルタ（孔径３．００μｍ）でろ過し、インク１を得た。
ｂ）インク２（黒インク）
カーボンブラック「ＭＡ１００」１５重量％、「ＤＩＳＰＥＲＢＹＫ  １９０」９重量％、グリセリン１５重量％、水６１重量％を混合した後、直径０．３ｍｍのジルコニアビーズを媒体とした湿式サンドミルにて分散処理を行い、黒顔料分散体を得た。ついで、水５５．４重量％、グリセリン４０．５重量％、ジプロピレングリコール−ｎ−プロピルエーテル３重量％、「オルフィン（登録商標）Ｅ１０１０」１．１重量％を混合してインク溶媒を得た。つぎに、前記インク溶媒６６．７重量％を撹拌中の前記黒顔料分散体３３．３重量％に徐々に加え、均一に混合した。その後、得られた混合物を、東洋濾紙（株）製のセルロースアセテートタイプメンブレンフィルタ（孔径３．００μm）でろ過し、インク２を得た。前記インク２のインク組成は、表１に示すとおりとなる。
ｃ）インク３（マゼンタインク）
インク組成成分（表１）における、自己分散型顔料「ＣＡＢ−Ｏ−ＪＥＴ（登録商標）２６０Ｍ」を除く成分を、均一に混合しインク溶媒を得た。つぎに、前記インク溶媒に前記自己分散型顔料を除々に加え、均一に混合した。その後、得られた混合物を、東洋濾紙（株）製のセルロースアセテートタイプメンブレンフィルタ（孔径３．００μm）でろ過し、インク３を得た。
【００５８】
【表１】
2010131788.tif 000003
【００５９】
［実施例１］
図１に示したインクジェット記録装置１００を用いて、被記録媒体１（Ｈａｍｍｅｒｍｉｌｌ社製  ＬａｓｅｒＰｒｉｎｔ２４ｌｂ）の記録面に画像を記録した。前記画像は、前記インク１を用いて、被記録媒体搬送方向Ｘにおける前記被記録媒体１の先端から４４ｍｍ下方の中央部分に、記録面積：縦２２ｍｍ×横２２ｍｍ、記録密度：１００％の条件で記録した。また、前記インクジェット記録装置１００における各構成部材の形状、大きさおよび運転条件は、下記のとおりとした。
【００６０】
（各構成部材の形状、大きさおよび運転条件）
インクジェットヘッド２：６００ｄｐｉで１ドットあたり２１ｐＬの水性インクを吐出。
非水溶性粉体３：アクリル粒子（粒子径：１８μｍ、東洋紡績（株）製：タフチック（登録商標）ＡＲ６５０Ｓ）。
搬送用ローラ４：金属製の芯の周囲にゴムを円筒状に成形し、その表面に前記非水溶性粉体３を付着させるための凹凸を有する直径１３ｍｍのローラ。回転速度＝１３９０回転／分。
ニップローラ５：金属製の芯の周囲にゴムを円筒状に成形した直径１３ｍｍのローラ。回転速度＝１３９０回転／分。
搬送用ローラ４とニップローラ５との間の圧接力：０．１８ｋｇｆ／ｃｍ２（０．１８×９．８×１０４Ｐａ）。
給紙用ローラ９：金属製の芯の周囲にゴムを円筒状に成形した直径１３ｍｍのローラ。回転速度＝１３９０回転／分。
【００６１】
［実施例２］
前記非水溶性粉体３として、ジビニルベンゼンポリマー粒子（粒子径：３０μｍ：積水化学工業（株）製：ミクロパール（登録商標）ＧＳ−２３０）を用いたこと以外は、実施例１と同様にして、画像を記録した。
【００６２】
［実施例３］
前記非水溶性粉体３として、ガラス粒子（粒子径：３０μｍ、日本粉体工業技術協会製：ガラスビーズＧＢＬ−３０）を用いたこと以外は、実施例１と同様にして、画像を記録した。
【００６３】
［実施例４］
前記非水溶性粉体３として、ポリスチレン粒子（粒子径：５０μｍ：ガンツ化成（株）製：ガンツパール（登録商標）ＧＭ−５００３）を用いたこと以外は、実施例１と同様にして、画像を記録した。
【００６４】
［実施例５］
前記インク１に代えて、前記インク２を用いたこと以外は、実施例１と同様にして、画像を記録した。
【００６５】
［実施例６］
前記インク１に代えて、前記インク２を用いたこと以外は、実施例２と同様にして、画像を記録した。
【００６６】
［実施例７］
前記インク１に代えて、前記インク２を用いたこと以外は、実施例３と同様にして、画像を記録した。
【００６７】
［実施例８］
前記インク１に代えて、前記インク２を用いたこと以外は、実施例４と同様にして、画像を記録した。
【００６８】
［実施例９］
前記インク１に代えて、前記インク３を用いたこと以外は、実施例１と同様にして、画像を記録した。
【００６９】
［実施例１０］
前記インク１に代えて、前記インク３を用いたこと以外は、実施例２と同様にして、画像を記録した。
【００７０】
［実施例１１］
前記インク１に代えて、前記インク３を用いたこと以外は、実施例３と同様にして、画像を記録した。
【００７１】
［実施例１２］
前記インク１に代えて、前記インク３を用いたこと以外は、実施例４と同様にして、画像を記録した。
【００７２】
［比較例１］
前記非水溶性粉体３を用いなかったこと以外は、実施例１と同様にして、画像を記録した。
【００７３】
［比較例２］
前記非水溶性粉体３として、アクリル粒子（粒子径：３μｍ、ＪＳＲ（株）製：ＳＸ８７０３（Ａ）−０２）を用いたこと以外は、実施例１と同様にして、画像を記録した。
【００７４】
［比較例３］
前記非水溶性粉体３として、ジビニルベンゼンポリマー粒子（粒子径：１０μｍ、積水化学工業（株）製：ミクロパール（登録商標）ＳＰ−２１０）を用いたこと以外は、実施例１と同様にして、画像を記録した。
【００７５】
［比較例４］
前記非水溶性粉体３を用いなかったこと以外は、実施例５と同様にして、画像を記録した。
【００７６】
［比較例５］
前記非水溶性粉体３として、アクリル粒子（粒子径：３μｍ、ＪＳＲ（株）製：ＳＸ８７０３（Ａ）−０２）を用いたこと以外は、実施例５と同様にして、画像を記録した。
【００７７】
［比較例６］
前記非水溶性粉体３として、ジビニルベンゼンポリマー粒子（粒子径：１０μｍ、積水化学工業（株）製：ミクロパール（登録商標）ＳＰ−２１０）を用いたこと以外は、実施例５と同様にして、画像を記録した。
【００７８】
［比較例７］
前記非水溶性粉体３を用いなかったこと以外は、実施例９と同様にして、画像を記録した。
【００７９】
［比較例８］
前記非水溶性粉体３として、アクリル粒子（粒子径；３μｍ、ＪＳＲ（株）製：ＳＸ８７０３（Ａ）−０２）を用いたこと以外は、実施例９と同様にして、画像を記録した。
【００８０】
［比較例９］
前記非水溶性粉体３として、ジビニルベンゼンポリマー粒子（粒子径：１０μｍ、積水化学工業（株）製：ミクロパール（登録商標）ＳＰ−２１０）を用いたこと以外は、実施例９と同様にして、画像を記録した。
【００８１】
実施例および比較例について、転写評価を、下記の方法により行った。
【００８２】
（転写評価）
前記搬送用ローラ４および前記ニップローラ５の間から搬送された前記被記録媒体１を取り出し、前記画像が前記搬送用ローラ４もしくは前記非水溶性粉体３に転写され、後続の前記被記録媒体１の記録面に前記画像が再転写された跡（再転写跡）を目視にて観察し、下記評価基準にて評価した。
【００８３】
転写評価  評価基準
Ａ：前記再転写跡がなかった。
Ｂ：前記再転写跡が３個以下であった。
Ｃ：前記再転写跡が４個以上で、再転写した前記画像の輪郭が不鮮明であった。
Ｄ：前記再転写跡が４個以上で、再転写した前記画像の輪郭が鮮明であった。
【００８４】
実施例および比較例における前記非水溶性粉体３の種類および粒子径、前記インクの種類、並びに前記転写評価の評価結果を、表２に示す。
【００８５】
【表２】
2010131788.tif 000004
【００８６】
表２に示すとおり、粒子径が１５μｍ以上の粒子を含む非水溶性粉体を用いた実施例１〜１２では、転写評価の結果が良好であった。一方、非水溶性粉体を用いなかった、もしくは粒子径が１５μｍ以上の粒子を含まない非水溶性粉体を用いた比較例１〜９では、転写評価の結果が劣っていた。
【産業上の利用可能性】
【００８７】
以上のように、本発明のインクジェット記録装置およびインクジェット記録方法は、被記録媒体の記録面から搬送用ローラへの画像転写、および前記搬送用ローラから後続の前記被記録媒体の記録面への前記画像の再転写が抑制され、記録品質に優れるものである。本発明のインクジェット記録装置およびインクジェット記録方法の用途は、特に限定されず、各種のインクジェット記録に広く適用可能である。
【図面の簡単な説明】
【００８８】
【図１】図１は、本発明のインクジェット記録装置の構成の一例を示す概略図である。
【図２】図２（Ａ）および（Ｂ）は、粉体供給手段の構成例を示す概略図である。
【図３】図３（Ａ）〜（Ｆ）は、本発明のインクジェット記録方法の一例を説明する図である。
【符号の説明】
【００８９】
１          被記録媒体
２          インクジェットヘッド
３          非水溶性粉体
４          搬送用ローラ
５          ニップローラ
６          粉体供給用ブレード
６ａ        粉体供給用ガイド板
６ｂ        スポンジ
７          ホッパ
８          被記録媒体搬送ガイド
９          給紙用ローラ
１０        粉体除去用ブレード
【図１】
2010131788.tif 000005
【図２】
2010131788.tif 000006
【図３】
2010131788.tif 000007